(57)【要約】【課題】宗教、宗派や形式に捉われず自由に礼拝でき、礼拝用器具を一体式に備え小型化、軽量化、持運びも可能であり組立ても容易に出来る礼拝用写真立てを提供する。【解決手段】写真立て取付台座にろうそく型ライト、茶湯器、香炉等が内臓され一体化され、それぞれが取外し式になっており単体利用が出来るものである。  又、小型で軽量、組立てが簡単であるから持運びが容易に出来るので海外、国内問わずどこでも礼拝が実現可能になった。【選択図】図２
2019025276.tif 000002
【特許請求の範囲】
【請求項１】
土台部を基に写真立て部が中央後部に備え、前記写真立て部の中央前部に香炉置部が備え、前記香炉置部左右に発光体置部と茶湯器置部が設置可能な置部を備えた特徴のある礼拝用写真立て。
【請求項２】
写真たて土台部中央後部に樹脂板張り合わせた写真枠台を備え、切抜き枠内に故人や敬う被写体を保持した薄板シートを狭時させ、前記樹脂板の張り合わせ面に前記、写真立て外周部に木製又は、金属製の三方枠を形成したことを特徴とする請求項１記載の礼拝用写真立て。
【請求項３】
写真立て土台中央部左右に発光体と茶湯器を備え、発光体部の発光体は少なくとも２以上の発光体の交換を可能とし、土台部中央前部香炉置部に香炉本体を備え、前記香炉本体中央部に溝型開口部を有し、前記香炉本体左端部にお香差込み口を有することを特徴とする請求項１記載の礼拝用写真立て。
【請求項４】
請求項２又は３に記載の礼拝用写真立てを梱包する梱包箱表面に凹み部を形成し、前記凹み部に写真立て土台部を設置して礼拝出来ることを特徴とする礼拝用具。
【発明の詳細な説明】
【技術分野】
【０００１】本発明は、亡き家族や亡きペット生前の想い出を回想したり、供養するために用いる礼拝用写真立てに関するものである。
【背景技術】
【０００２】これまで故人の礼拝として用いられるものは仏壇が主流であった。  近年宗教離れ無宗派人口の増加、生活環境の変化などの要因により仏壇離れが多くそれに伴い礼拝をする行為も少なくなっている。その中コンパクトな仏壇や室内インテリアに合わした仏壇が出現し、時代と共に変わりつつある。（例えば、特許文献１参照）
又、形式にこだわらない礼拝用具もある（例えば、特許文献２参照）【０００３】小型で礼拝用器具を一体、コンパクトにまとめているが器具数、収納等が必要不可欠という概念、形式に捉われ過ぎている。【０００４】小型で写真立てが主の礼拝用具で土台のみを備え礼拝器具は自由に設置出来るようになっているが用具選定、用具設定位置により全体のデザインや統一感がなされておらず、振動による礼拝器具落下等についても配慮されていない。
【先行技術文献】
【特許文献】
【０００５】
【特許文献１】特開２０１２−１０８２６
【特許文献２】特開２００６−２９７１６１
【発明の概要】
【発明が解決しようとする課題】
【０００６】特許文献１は、多種な器具、収納部があり小型と記載はあるが安易に持運びが出来るほど小型ではない問題があった。  しかも、本体に付属する器具も決まった器具の組合せとして設置環境の対応、汎用性にも問題があった。【０００７】特許文献２は、各器具、茶陶器や仏飯器、高杯、火立てなどが置き式となっており置き方により設置環境、装飾性に問題があった。  しかも各器具は台上に自在置き式のため落下防止の対策不備、多種器具設置による重量過多のため安易に持運びが出来ない門題があった。
【課題を解決するための手段】
【０００８】本発明は、シンプルでよりコンパクトに礼拝できるものとして礼拝用写真立てを提供する。  必要最低限の構成とし、写真立て土台にろうそくライト、茶湯器、香炉など内臓して容易に組立てが出来る。且つどこでも、どこに置いても支障ないデザインを可能とするものである。【０００９】本発明は、土台部を基に写真立て部が中央後部に備え、前記写真立て部の中央前部に香炉置部備え、前記香炉置部左右に発光体置部と茶湯器置部が設置可能な置部を備えた特徴のある礼拝用写真立てを提供する。【００１０】さらに、写真たて土台部中央後部に樹脂板張り合わせた写真枠台を備え、薄板シート切抜き枠内に故人やペットや敬う被写体シートを狭持させ、前記樹脂板の張り合わせ面に前記、写真立て外周部に木製又は、金属製の三方枠を形成したことを特徴とする請求項１記載の礼拝用写真立てを提供する。【００１１】さらに、写真立て土台中央部左右に発光体と茶湯器を備え、発光体部の発光体は少なくとも２以上の発光体の交換を可能とし、土台部中央前部香炉置部に香炉本体を備え、前記香炉本体中央部に溝型開口部を有し、前記香炉本体左端部にお香差込み口を有することを特徴とする請求項１記載の礼拝用写真立てを提供する。【００１２】さらに、請求項２又は３に記載の礼拝用写真立てを梱包する梱包箱表面に凹み部を形成し、前記凹み部に写真立て土台部を設置して礼拝出来ることを特徴とする礼拝用具を提供する。
【発明の効果】
【００１３】本発明は上記記載の通りコンパクトで軽量、容易に組立てが出来、誰もが気負いなく礼拝が出来る。自宅、事務所又はダイニング、リビング、洋室、和室等、どこでも自由に設置が出来、立っても座っても容易に礼拝できる。  又、海外国内問わず持ち運びが出来る形態にもしている。  上記内容を踏まえると、老若男女、設置場所問わず故人を偲ぶ想いで礼拝出来るという効果を奏している。
【図面の簡単な説明】
【００１４】
【図１】本発明の実施形態による礼拝用写真立ての分解図である。
【図２】本発明の実施形態による礼拝用写真立ての完成図である。
【図３】本発明の実施形態による礼拝用写真立ての平面図である。
【図４】本発明の実施形態による礼拝用写真立ての平面図（器具なし）である。
【図５】本発明の実施形態による礼拝用写真立ての正面図（横型）である。
【図６】本発明の実施形態による礼拝用写真立ての正面図（縦型）である。
【図７】本発明の実施形態による礼拝用写真立ての右側側面図である。
【図８】本発明の実施形態による礼拝用写真立ての左側側面図である。
【図９】本発明の実施形態による礼拝用写真立ての部分断面図である。
【図１０】本発明の実施形態による礼拝用写真立ての裏側平面図である。
【図１１】本発明の実施形態による礼拝用写真立ての香炉本体平面図である。
【図１２】本発明の実施形態による礼拝用写真立ての設置投影図である。
【発明を実施するための形態】
【００１５】以下、本発明の実施するための形態を図面に基づき説明する。
図２に示すように、礼拝用写真立ては土台１に左側開口部６に茶湯器２、右側開口部７にろうそくライト３が収納され、中央開口部８に香炉４も収納されている。又、土台１背面溝型部９に故人等の写真が収納された写真枠台５も設けられている。
【００１６】図４で示すように土台１は器具等が収納されるように開口部だけが開いている形態で器具の変更によるバリエーションが出来る構成となっている。  開口部６には茶湯器が収納され、茶陶器を裏返すと細い溝を施し名刺、ポストカードなどが装飾出来るカード立てとなり、自由に向きが変えられる事により立体的な視覚変化が得られる。又、素材も陶器、金属、樹脂製、色、模様や柄を変える事により自分なりの形態に出来る構成となっている礼拝用写真立てとしている。
【００１７】図４で示すように土台１の開口部７にろうそくライトが収納されている。
ライト点灯スイッチはライト上面を手で押すと点灯し、再度押すと消灯する簡単な方法である。  礼拝用写真立ての雰囲気を変えたい場合、市販品（キャンドル、アロマキャンドル、）などを共通サイズで収納でき又、市販アクリル収納箱に生花や造花、遺品を挿入してより信心感の強い構成にも出来る礼拝用写真立てとしている。
【００１８】図１、図４土台１の開口部８に図１、図１１香炉４が収納されている。
図１１香炉４本体中心溝部１０にはお香を寝かせて焚く方式で使用し、図１１溝部１０左端部お香差込口１１にはお香を斜めに挿入して使用する方式とし、２方式を取入れ安全面の配慮をしている。  又、素材は陶器、金属、樹脂製、色、柄を変える事が出来る。そして図１１香炉４の香炉１２取手に丸型取手として全体の形態も取入れ、取外しが容易に出来、お香立てとして単体利用も出来るようにしている特徴のある礼拝用写真立てとしている。
【００１９】図４、図７、図８土台１の背面溝部９に写真枠台を備えており、立って礼拝、座って礼拝が容易に出来るよう写真枠台の角度を約１５度と設定している。又、写真枠台は表裏の設定方法が異なり、表面は図５であるように写真枠台が横型としている。写真枠台５はアクリル板張り合わせ薄板シート１３を丸型等に切り抜き、故人やペットの写真を挿入して少し華やかな感じとしている。裏面は図６であるように写真枠台を縦型としている。  写真枠台５はアクリル板張り合わせ薄板シートを長方形型等に切り抜き、故人の写真を挿入して一般的な遺影写真のイメージとしている。そして薄板シート切抜き形状、図５図６で写真枠台に付属部品として三方枠１５、１６を容易に写真枠台上部より挿入取付で、さまざまな行事ごとに対応出来る特徴のある礼拝用写真立てとしている。
【００２０】前記で記載の通り礼拝用写真立てとしているが、各器具等の設置方法や図２本体１の素材が木製無垢材や金属、樹脂製、色、柄の変更によりいくつものパターンで構成出来、色々なバリエーションに富んだ非常に特徴のある礼拝用写真立てとしている。
【００２１】図２である礼拝用写真立ては礼拝に必要な最低３種の器具を内臓し小型、軽量として容易に組立てが出来る形態であり持運びを可能としている。
そして、長短期出張、国内国外問わず持参出来る梱包箱とし梱包箱裏部に図１２であるように写真立て本体型を凹ませ、礼拝場所に梱包箱を架台として利用する事で梱包箱紛失防止、視覚的変化による効果も備えた特徴のある礼拝用写真立てとしている。
【００２２】本発明は、シンプルでコンパクトにするため一般的に礼拝用器具を必要最低限の写真枠台、ろうそくライト、茶湯器、香炉を基台に全て内臓、一体式に備え、宗教、宗派、形式に捉われずに礼拝出来る効果を奏している。
【００２３】又、前記記載した最小限の器具選定により小型化が出来、組立ても容易に且つ、軽量なので持運びが可能であり国内国外問わず、長短期出張などに対応出来るという効果を奏している。
【００２４】さらに、全体デザインがシンプル且つ、器具の種類、色、柄のパターンにより事務所、自宅又は、洋室、和室など場所を選ばず設置出来るという効果を奏している。
【符号の説明】
【００２５】  １    台座
２    茶湯器
３    発光体（ろうそくＬＥＤライト）
４    香炉
５    写真枠台
６    穴部（丸型掘込み）
７    穴部（丸型掘込み）
８    穴部（長方形堀込み）
９    溝部（溝型堀込み）
１０    香炉本体溝部
１１    香炉本体お香差込み部
１２    香炉本体取手部
１３    写真枠台内薄板シート（丸型切抜き）
１４    写真枠台内薄板シート（長方型切抜き）
１５    写真枠台三方枠（横型）
１６    写真枠台三方枠（縦型）
１７    梱包箱
１８    写真立て土台凹み部
１９    梱包箱取手
【図１】
2019025276.tif 000003
【図２】
2019025276.tif 000004
【図３】
2019025276.tif 000005
【図４】
2019025276.tif 000006
【図５】
2019025276.tif 000007
【図６】
2019025276.tif 000008
【図７】
2019025276.tif 000009
【図８】
2019025276.tif 000010
【図９】
2019025276.tif 000011
【図１０】
2019025276.tif 000012
【図１１】
2019025276.tif 000013
【図１２】
2019025276.tif 000014